(57)【要約】【課題】回動するファンにより送風される気流の方向を制御する整流板を備えた、樹脂材料でできたフロントガードについて、悪戯などにより指を挿入して回動するファンに接触するのを抑制する対策を施しつつ、外観の変化や送風性能の低下を抑えることを目的とする。【解決手段】フロントガード６は、中央プレート７と、中央プレート７の周端より半径方向へ放射状に突出された複数の第１の整流板１０と、第１の整流板１０の先端を連結する外周リング９とからなり、第１の整流板１０は、細長板形状で短辺方向が送風方向に対して斜交するように設けられ、第１の整流板１０の送風方向における下流側面には凸形状となる厚み部１２を備えた構成により、フロントガード６へ指が挿入され、回動するファン２に容易に接触するのを抑制する送風装置を得られる。【選択図】図２
2017133416.tif 000002
【特許請求の範囲】
【請求項１】
ファンと、
前記ファンを回動させるモータと、
前記ファンを囲むガードとを備え、
前記ガードは、
前記ファンを背面側より覆うリアガードと、
前記ファンを前面側より覆うフロントガードとを備え、
前記モータによって前記ファンが回動すると前記リアガード側から前記フロントガード側へ空気が送風され、
前記フロントガードは、
中央プレートと、
前記中央プレート周端より半径方向へ放射状に突出された複数の第１の整流板と、
前記第１の整流板の先端を連結する外周リングとからなり、
前記第１の整流板は、
細長板形状で短辺方向が送風方向に対して斜交するように設けられ、
前記第１の整流板の送風方向における下流側面には凸形状となる厚み部を備えたことを特徴とする送風装置。
【請求項２】
前記第１の整流板の送風方向における下流側端部から送風方向と並行に延びた第２の整流板を備えた請求項１に記載の送風装置。
【請求項３】
前記第１の整流板の送風方向における下流側面と前記第２の整流板で成す角に前記厚み部を設けたことを特徴とする請求項２に記載の送風装置。
【請求項４】
前記厚み部は、
送風方向における前記第１の整流板の投影面に収まることを特徴とする請求項１から３のいずれかに記載の送風装置。
【請求項５】
前記厚み部は、
前記第１の整流板の長辺方向における中央付近に設けられたことを特徴とする請求項１から４のいずれかに記載の送風装置。
【請求項６】
前記厚み部は、
前記第２の整流板の長辺方向において円弧形状であることを特徴とする請求項１から５のいずれかに記載の送風装置。
【請求項７】
前記第１の整流板の短辺方向の寸法は、
前記中央プレートから前記外周リングに向かうにつれて大きくなることを特徴とする請求項１から６のいずれかに記載の送風装置。
【発明の詳細な説明】
【技術分野】
【０００１】
本発明は、回動するファンにより昇圧された空気を前方へ押し出すことで発生した風に対して、その気流の方向を制御する整流板を供えることで、所望する気流を実現し、その風を浴びることで涼感を得たり、空気を攪拌して温度ムラを改善したりする送風装置に関するものである。
【背景技術】
【０００２】
従来、この種の送風装置は、回動するファンを保護するガードに対して、気流を制御する整流板を備えたものが知られている（例えば、特許文献１参照）。
【０００３】
以下、その送風装置について図６を参照しながら説明する。
【０００４】
図６に示すように、ファン１０１と、ファン１０１を回動させるモータ１０２と、ファン１０１を囲むガード１０３とを備え、ガード１０３は、ファン１０１を背面側より覆うリアガード１０５と、ファン１０１を前面側より覆うフロントガード１０４とを備え、モータ１０２によってファン１０１が回動するとリアガード１０５からフロントガード１０４へ空気が送風され、フロントガード１０４は、中央プレート１０７と、中央プレート１０７の周端より半径方向へ放射状に突出された複数の整流板１０８と、整流板１０８の先端を連結する外周リング１０６とからなり、整流板１０８の長辺は、ファン１０１の回転と逆方向に凸部ができるように円弧を形成している。
【先行技術文献】
【特許文献】
【０００５】
【特許文献１】登録実用新案第３１９６８８４号公報
【発明の概要】
【発明が解決しようとする課題】
【０００６】
このような従来の送風装置においては、整流板の形が複雑であることから、整流板の機能を備えたガードを樹脂材料で形成する場合が多く、その場合には金属材料と比べて変形しやすい。
【０００７】
そのため、例えば、悪戯で整流板と整流板の間の隙間に指を挿入すると、隙間が容易に開くことで、指が回動するファンに容易に接触してしまい、保護機能が十分ではないという課題を有していた。
【０００８】
また、この課題に対しては、整流板と整流板の間の隙間に補強用のリブを設けることで対策が可能ではあるが、外観のイメージや、性能が変わってしまう可能性があるという課題を有する。
【０００９】
そこで本発明は、上記従来の課題を解決するものであり、整流板と整流板の隙間が容易に開かないように補強しつつ、外観のイメージや性能の変化を抑えた送風装置を提供することを目的とする。
【課題を解決するための手段】
【００１０】
そして、この目的を達成するために、本発明は、ファンと、前記ファンを回動させるモータと、前記ファンを囲むガードとを備え、前記ガードは、前記ファンを背面側より覆うリアガードと、前記ファンを前面側より覆うフロントガードとを備え、前記モータによって前記ファンが回動すると前記リアガード側から前記フロントガード側へ空気が送風され、前記フロントガードは、中央プレートと、前記中央プレート周端より半径方向へ放射状に突出された複数の第１の整流板と、前記第１の整流板の先端を連結する外周リングとからなり、前記第１の整流板は、細長板形状で短辺方向が送風方向に対して斜交するように設けられ、前記第１の整流板の送風方向における下流側面には凸形状となる厚み部を備えたものであり、これにより所期の目的を達成するものである。
【発明の効果】
【００１１】
本発明によれば、ファンと、前記ファンを回動させるモータと、前記ファンを囲むガードとを備え、前記ガードは、前記ファンを背面側より覆うリアガードと、前記ファンを前面側より覆うフロントガードとを備え、前記モータによって前記ファンが回動すると前記リアガード側から前記フロントガード側へ空気が送風され、前記フロントガードは、中央プレートと、前記中央プレート周端より半径方向へ放射状に突出された複数の第１の整流板と、前記第１の整流板の先端を連結する外周リングとからなり、前記第１の整流板は、細長板形状で短辺方向が送風方向に対して斜交するように設けられ、前記第１の整流板の送風方向における下流側面には凸形状となる厚み部を備えた構成にしたことにより、指が送風方向と並行に、前記フロントガードへ挿入され、回動する前記ファンに指が容易に接触するのを抑制する。
【図面の簡単な説明】
【００１２】
【図１】本発明の実施の形態１の送風装置の斜視図
【図２】同送風装置のフロントガードを示す斜視図
【図３】同送風装置のフロントガードの整流板を示す図
【図４】同送風装置のフロントガードの整流板の断面を示す図
【図５】同送風装置のフロントガードを示す正面図
【図６】従来の送風装置を示す斜視図
【発明を実施するための形態】
【００１３】
本発明の請求項１記載の送風装置は、ファンと、前記ファンを回動させるモータと、前記ファンを囲むガードとを備え、前記ガードは、前記ファンを背面側より覆うリアガードと、前記ファンを前面側より覆うフロントガードとを備え、前記モータによって前記ファンが回動すると前記リアガード側から前記フロントガード側へ空気が送風され、前記フロントガードは、中央プレートと、前記中央プレート周端より半径方向へ放射状に突出された複数の第１の整流板と、前記第１の整流板の先端を連結する外周リングとからなり、前記第１の整流板は、細長板形状で短辺方向が送風方向に対して斜交するように設けられ、前記第１の整流板の送風方向における下流側面には凸形状となる厚み部を備えた構成を有する。
【００１４】
これにより、指が送風方向と並行に、前記フロントガードへ挿入され、回動する前記ファンに指が容易に接触するのを抑制する。
【００１５】
また、前記第１の整流板の送風方向における下流側端部から送風方向と並行に延びた第２の整流板を備えた構成にしてもよい。これにより、ガードに指を挿入するためには指を折り曲げなければならないので、回動する前記ファンに指が接触するのを防ぐ構造を容易に実現できるという効果を奏する。
【００１６】
また、前記第１の整流板の送風方向における下流側面と前記第２の整流板で成す角に前記厚み部を設けた構成にしてもよい。これにより、前記フロントガードを樹脂材料で射出成形する際に、前記厚み部がアンダーカットになることを防ぐという効果を奏する。
【００１７】
また、前記厚み部は、送風方向における前記第１の整流板の投影面に収まる構成にしてもよい。これにより、前記フロントガードを送風方向から見たとき、前記厚み部が風路に被らず風路面積が変わらないので、前記厚み部を備えたことによる圧力損失を抑制できるという効果を奏する。
【００１８】
また、前記厚み部は、前記第１の整流板の半径方向における中央付近に設けられた構成にしてもよい。これにより、板厚を増やすことによる材料費用の増加を最小限とし、かつ前記中央プレートと、前記外周リングとで支持された前記第１の整流板と前記第２の整流板で、たわみの大きい部分に厚みを設けることで、最も効果的に指が前記フロントガードに挿入される可能性を抑制できるという効果を奏する。
【００１９】
また、前記厚み部は、前記第２の整流板の長辺方向において円弧形状である構成にしてもよい。これにより、前記厚み部の形状が滑らかとなり、前記厚み部を流れる風の剥離を抑制するので、前記厚み部による騒音の増加を抑制できるという効果を奏する。
【００２０】
前記第１の整流板の短辺方向の寸法は、前記中央プレートから前記外周リングに向かうにつれて大きくなる構成にしてもよい。これにより、気流は外周ほど速いが、その旋回成分を前記第１の整流板に沿った流れに導きやすく、気流の方向を制御する上での圧力損失の増加を抑制するという効果を奏する。
【００２１】
以下、本発明の実施の形態について図面を参照しながら説明する。
【００２２】
（実施の形態１）
図１に示すように、送風装置１は、ファン２と、ファン２を回動させるモータ３と、ファン２を囲むガード４とを備えている。
【００２３】
ガード４は、ファン２を背面側より覆うリアガード５と、ファン２を前面側より覆うフロントガード６とを備え、モータ３によってファン２が回動するとリアガード５からフロントガード６へ空気が送風される。
【００２４】
フロントガード６は、円板形状の中央プレート７と、中央プレート７の周端より半径方向へ放射状に突出された複数の整流板８と、整流板８の先端を連結する円筒形状の外周リング９とからなり、その材料は、ＡＢＳやＰＰといった樹脂材料を選定する。
【００２５】
図２に示すように、整流板８は、第１の整流板１０と、第２の整流板１１と、厚み部１２とからなる。
【００２６】
第１の整流板１０は、細長板形状で短辺方向が送風方向に対して斜交するように設けられ、第１の整流板１０の下流側端部から送風方向と並行となる第２の整流板１１が設けられる。第２の整流板１１は、細長板形状で短辺方向が送風方向に対して並行に設けられている。
【００２７】
第１の整流板１０の短辺方向の寸法は、中央プレート７から外周リング９に向かうにつれて大きくなる。
【００２８】
第２の整流板１１の送風方向における下流側面には、凸形状となる厚み部１２を備えている。
【００２９】
厚み部１２は、第２の整流板の長辺方向において円弧形状であり、整流板８の半径方向における中央付近に設けられる。なお、第１の整流板１０、第２の整流板１１、および厚み部１２は、一体形成されている。
【００３０】
図３に示すように、厚み部１２は、第２の整流板１１の下流側端部から第１の整流板へ向けて、投影面に収まるように伸ばし、第１の整流板１０の送風方向における下流側面と第２の整流板１１とが成す角にかかるように設けられている。
【００３１】
このような構成によれば、第１の整流板１０の送風方向における下流側面と、第２の整流板１１により成す角によって、指が送風方向と並行にフロントガード６へ挿入され、回動するファン２に容易に接触することを防ぐことができる。また、第１の整流板１０および第２の整流板１１は、中央プレート７と外周リング９とにより両持ち梁の構造となっている。このため、第１の整流板１０と第２の整流板１１の長辺方向の中央付近が、もっとも変形に対して弱い部分となる。その部分に対して厚み部１２を設けることで強度を上げるとともに、隣り合う複数の整流板８との距離を小さくすることで、第１の整流板１０および第２の整流板１１を一様に厚くするのではなく、第１の整流板１０および第２の整流板１１の最も変形しやすい部分、言い換えれば指が挿入されやすい部分に対して厚み部１２を設けることで、フロントガード６の重量および材料費用の増加を最小限に抑えるので、効率よく、指が送風方向と並行に、フロントガード６へ挿入され、回動するファン２に接触することへの対策を実施できる。
【００３２】
さらに、厚み部１２は、第１の整流板１０から第２の整流板１１へと送風方向と並行に、かつ第１の整流板１０の送風方向における下流側面と第２の整流板１１とのなす角にかかるため、樹脂部品の射出成形における課題となるアンダーカットが発生しないため、モノづくりの観点からも容易に製造が可能となる。
【００３３】
また、モータ３によってファン２が回動するとリアガード５からフロントガード６へ空気が送風されるので、図４では送風方向は白抜き矢印で示す方向となるが、詳しく説明すると、ファン２の回動によって、空気はファン２の回転方向に旋回しながら進む気流となる。つまり螺旋状に旋回しながら白抜き矢印で示す送風方向へ送風される。送風される空気がフロントガード６を通る際に、第１の整流板１０は、ファン２の回動による気流の旋回成分の向きに沿うように形成されているため、気流が第１の整流板１０へ衝突する際に発生する圧力損失が少なく、第１の整流板１０へ導かれた気流は、そこから第２の整流板１１によって送風方向へ変えることができるので、直進性が高く、遠方まで到達可能な風の送出を実現している。第１の整流板１０の短辺方向の寸法を中央プレート７から外周リング９へ向かうにつれて大きくするのは、気流の旋回成分は外周ほど速いため、速い風の向きを第１の整流板１０へ導き易くするためである。
【００３４】
このとき、厚み部１２は第１の整流板１０の送風方向に対する投影面に収まるようにかつ、長辺方向の中心付近にのみ設けることで、図５に示すように、フロントガード６を正面から見たときの外観の変化を抑え、また開口面積を小さくすることがないため、厚み部１２を設けたことによる圧力損失を抑制する。また、厚み部１２は前方から見ると円弧形状としていることから、整流板８の翼面上での形状変化を緩やかにし、気流の剥離を抑えることで騒音の増加を防止できる。
【産業上の利用可能性】
【００３５】
本発明にかかる送風装置は、整流板を備えた樹脂性のガードについて、その外観の変化や性能低下を抑制しつつ、指がガードへ挿入されにくい効果があるので、家庭だけでなく飲食店やオフィスなど公共の施設において、直接風を浴びて涼感を得たり、そのほかの空調機器と併用して空気を攪拌し、温度ムラを改善したりするのに使用される床置き型や壁掛け型などの扇風機等として有用である。
【符号の説明】
【００３６】
１    送風装置
２    ファン
３    モータ
４    ガード
５    リアガード
６    フロントガード
７    中央プレート
８    整流板
９    外周リング
１０    第１の整流板
１１    第２の整流板
１２    厚み部
【図１】
2017133416.tif 000003
【図２】
2017133416.tif 000004
【図３】
2017133416.tif 000005
【図４】
2017133416.tif 000006
【図５】
2017133416.tif 000007
【図６】
2017133416.tif 000008